(57)【要約】      （修正有）【課題】ミラーボールとしての演出効果と、キャンドルの炎とキャンドルからの照明光がミラーボールの無数の鏡で反射されて部屋の天井、床、壁などに投射され、光スポットが移動することによる装飾効果を得ることができるミラーボールを兼ねたキャンドル台を得る。【解決手段】球状の基体１と基体１の表面に貼り付けられた無数の鏡２によって構成されたミラーボールと、キャンドルの穴を差し込んでキャンドルを立てるためにミラーボールの基体１の頂部に設けられた突部４と、キャンドルの最大横幅と同等またはそれ以上に広く装着孔が突部４に差し込まれることによって基体１に装着される蝋受け皿５と、基体１の下方にあって基体１を支持すると共に基体１を回転駆動する回転駆動部６と、を備えている。【選択図】図１
0003138951.tif 000002
【実用新案登録請求の範囲】
【請求項１】
球状の基体とこの記基体の表面に貼り付けられた無数の鏡によって構成されたミラーボールと、
キャンドルの穴を差し込んでキャンドルを立てるために上記ミラーボールの基体の頂部に設けられた突部と、
キャンドルの最大横幅と同等またはそれ以上に広く装着孔が上記突部に差し込まれることによって上記基体に装着される蝋受け皿と、
上記基体の下方にあって基体を支持すると共に基体を回転駆動する回転駆動部と、
を備えているミラーボールを兼ねたキャンドル台。
【請求項２】
突部は円錐形、角錘形または円筒形で、キャンドルの穴は上記突部の形に合わせた円錐形、角錘形または円筒形の穴である請求項１記載のミラーボールを兼ねたキャンドル台。
【請求項３】
基体の頂部は平坦面になっていて、この平坦面に突部が設けられ蝋受け皿が配置されている請求項１記載のミラーボールを兼ねたキャンドル台。
【考案の詳細な説明】
【技術分野】
【０００１】
本考案は、ミラーボールを兼ねたキャンドル台に関するものである。
【背景技術】
【０００２】
ミラーボールは、球形の基体の表面に小さな鏡が無数に貼り付けられた飾りである。ミラーボールは、ディスコやダンスホールなどで用いられ、光を当てながら回転させるようになっている。ミラーボールを使用すれば、無数の小さな鏡で光を反射させ、部屋中に小さな光スポットを投射すると共にこれらの光スポットを移動させることができ、光による装飾効果を得ることができる。
【０００３】
ミラーボールは、光による装飾効果を得るものであるから、薄暗い空間で使用することによって視覚的な効果を得ることができる。一方、蝋燭（以下「キャンドル」という）も暗い空間で使用することにより、照明効果あるいは光による装飾的な効果を得ることができるものである。したがって、ミラーボールを燭台（以下「キャンドル台」という）として兼用し、ミラーボールにキャンドルを立てると、キャンドルの光をミラーボールの鏡が反射して、新たな視覚的装飾効果を期待することができる。このようなミラーボールを兼ねたキャンドル台があれば、各種ホール、結婚式場などで、演出効果を得るための道具として使用することができる。
【０００４】
上記のようなミラーボールを兼ねたキャンドル台の着想に比較的近い着想の「電飾発光するキャンドル台」が特許文献１に記載されている。これは、球状の本体の下半分を反射面で、上半分を盛り花用の網で構成し、頂部には蝋燭立てを設け、上記本体の下半分と上半分との境界付近に透明板を嵌め、上記下半分の空間には電球を配置し、この電球からの照明光が上記網および盛り花を通して部屋の天井などに投射されるようにしたものである。
【０００５】
特許文献１記載の考案は、キャンドル台内部からの照明光による電飾効果を狙ったものであるから、外部からの照明光を無数の鏡で反射させて視覚的な効果をねらったミラーボールではない。球体が回転するものでもないから、光が移動する動的な効果もない。加えて、一般的な細長い形のキャンドルを使用することを想定していて、異形のキャンドル、例えば、星形、三日月形、ハート形など、横方向に広がりのあるキャンドルの使用は想定していない。
【０００６】
【特許文献１】特開平１０−９７８１０号公報
【考案の開示】
【考案が解決しようとする課題】
【０００７】
本考案は、特許文献１に記載されているような「電飾発光するキャンドル台」とは異なった効果を得ることができるミラーボールを兼ねたキャンドル台を提供するものである。すなわち、本考案は、据え置きタイプのミラーボールの頂部にキャンドル装着部を設け、ミラーボールと共にキャンドルを回転させることにより、ミラーボールとしての演出効果と、キャンドルの炎とキャンドルからの照明光がミラーボールの無数の鏡で反射されて部屋の天井、床、壁などに投射され、かつ、光スポットが移動することによる装飾効果を得ることができるミラーボールを兼ねたキャンドル台を得ることを目的とする。
【課題を解決するための手段】
【０００８】
本考案は、球状の基体とこの基体の表面に貼り付けられた無数の鏡によって構成されたミラーボールと、キャンドルの穴を差し込んでキャンドルを立てるために上記ミラーボールの基体の頂部に設けられた突部と、キャンドルの最大横幅と同等またはそれ以上に広く装着孔が上記突部に差し込まれることによって上記基体に装着される蝋受け皿と、上記基体の下方にあって基体を支持すると共に基体を回転駆動する回転駆動部と、を備えていることを最も主要な特徴とする。
【考案の効果】
【０００９】
回転駆動部によって基体を回転させながら基体に光を当てると、基体の表面の無数の鏡が光を反射し、部屋中に光をスポット状に投射すると共に光スポットが移動する。これに加えて、上記気体の頂部の突部にキャンドルの穴を差し込んでキャンドルを立て、キャンドルに火を付けると、キャンドルの炎の光が上記無数の鏡で反射され、反射光が光のスポットとなり、この光のスポットが移動するので、キャンドル自体の炎とあいまって、光による装飾効果をさらに高めることができる。
【考案を実施するための最良の形態】
【００１０】
以下、本考案にかかるミラーボールを兼ねたキャンドル台の実施例について図面を参照しながら説明する。
図１において、符号１はミラーボールを構成する球状の基体を示している。基体１の表面には略全面にわたって無数の鏡２が貼付され、基体１と無数の鏡２でミラーボールを構成している。鏡２の貼付手段は任意で、例えば、接着剤による貼り付け、両面接着テープによる貼り付け、石膏による貼り付け、などの手段からいずれかを選択して採用するとよい。鏡２の形状は任意である。図１の例では正方形になっているが、長方形であってもよいし、ひし形、多角形、円形、その他どのような形であってもよい。
【００１１】
基体１の素材も限定されない。樹脂による一体成形、発泡スチロールによる成形、金属板によるプレス成形などであってもよい。基体１の頂部は平坦面３となっている。平坦面３の中央からはキャンドルの下端部に形成されている穴を差し込んでキャンドルを立てるための突部４が立ち上がっている。
平坦面３には蝋受け皿５が配置されている。蝋受け皿５は、図２に示すように平坦かつ扁平な皿状になっていて、中央に装着孔５１が形成されている。装着孔５１が突部４に差し込まれることにより、蝋受け皿５が平坦面３に配置されている。蝋受け皿５は、後で説明する各種キャンドルの横方向の広がりに対応した大きさ、すなわち、キャンドルの最大横幅と同等またはそれ以上に広くなっている。
【００１２】
基体１の下方には、基体１を支持すると共に基体１を回転駆動する回転駆動部６があり、回転駆動部６によって基体１が支持されるとともに、基体１が垂直方向の軸を中心にして回転駆動されるようになっている。回転駆動部６は駆動源としてのモータと、モータの出力軸の回転を減速する歯車列を内蔵している。回転駆動部６の出力軸７が回転駆動部６の上面の略中央部から上方に突出し、出力軸７と一体に基体１が結合されている。出力軸７は基体１の中心軸線に沿って伸びている。符号８は上記モータに電力を供給するための電源コードを示している。このように構成されたミラーボールは、フロアあるいはテーブルの上などに設置して使用される据え置き型のミラーボールである。
【００１３】
図３、図４は上記実施例にかかるミラーボールを兼ねたキャンドル台に装着されるキャンドルの例を示す。図３、図４において、キャンドル９の外観は、従来一般のキャンドルのように細長い円柱状の蝋からなるキャンドル本体１０と、キャンドル本体１０に埋め込まれ、上端部がキャンドル本体１０の上端から突出した綿芯１１を有してなる。このキャンドル９が一般のキャンドルと異なる点は、綿芯１１の下端部がストッパ１２に結合されている点である。ストッパ１２は金属からなる円筒形の部材で、外周側から均等に押しつぶされることにより綿芯１１がストッパ１２に結合されている。図４において符号１３は、ストッパ１２が押しつぶされた痕跡を示している。ストッパ１２は綿芯１１と共にキャンドル本体１０をなす蝋に埋め込まれている。
【００１４】
綿芯１１の先端に火が付けられると、綿芯１１に浸透している蝋が燃え、その熱でキャンドル本体１０をなす蝋が液化して綿芯１１に浸透し、この蝋が燃える、というサイクルを繰り返すことにより火を灯し続ける。蝋が燃えることによりキャンドル本体１０の上端が下がり、やがてストッパ１２の上端と同じ位置あるいはそれよりも低い位置になると、液化した蝋の綿芯１１への浸透が絶たれ、消灯する。点灯中に蝋が液化してキャンドル本体１０の表面に沿って垂れたとしても、蝋受け皿５で受けられ、ミラーボールが汚れることはない。蝋受け皿５は突起４に沿って挿入されているだけであり、垂れた蝋で満たされた場合などに交換することは容易である。
【００１５】
綿芯１１に花火の素材となる火薬を含浸させておけば、花火のような装飾効果を得ることができる。図３において、炎の外側に表わしている星形の図形は、上記火花を表わしている。
【００１６】
次に、基体１の頂部に設けられる突部およびこの突部に差し込まれて装着されるキャンドルの各種変形例を説明する。
図５に示す例は、基体１の頂部に設けられる上記突部を円錐形状の突部１５としたものである。図６に示す例のように、四角錐状の突部１６としてもよい。三角錐状であってもよいし、多角錐状であってもよい。これらの突部１５、１６は高さが比較的低くなっている。
【００１７】
これらの突部１５，１６に対応するキャンドルの各種例を図７、図８、図９に示す。これらのキャンドルは、一般的なキャンドルの形状に対して異形になっている。図７に示す例は星形で、突部１５または１６の形に合わせた形の穴２１を有している。図８に示す例は三日月形のキャンドル３０で、突部１５または１６の形に合わせた形の穴３１を有している。図９に示す例はハート形のキャンドル４０で、突部１５または１６の形に合わせた形の穴４１を有している。上記突部を角錐形とし、この突部の形にキャンドルの穴の形を合わせると、ミラーボールの回転に対してキャンドルの相対移動が阻止され、キャンドルがミラーボールの基体１と一体的に確実に回転する。
【００１８】
これら異型のキャンドルは、一般の細長い円柱状のキャンドルに比べて横方向に大きく広がっているので、点灯時の蝋垂れの範囲も広がる。この蝋垂れの範囲に合わせて蝋受け皿５の大きさを設定ないしは選択する。すなわち、キャンドルの最大横幅と同等またはそれ以上に広い蝋受け皿５を使用する。キャンドルと共にそれに適合した大きさの蝋受け皿５を販売するとよい。
【００１９】
ミラーボールの基体１の頂部にキャンドルを立て、これに点灯した状態で基体１を回転させると、ミラーボールとしての演出効果に加えて、キャンドルの光をミラーボールの鏡２が反射し、新たな視覚的効果を得ることができる。
また、キャンドルの芯に花火用の火薬を含浸させておけば、図３に示すように火薬の燃焼による花火の効果を得ることができ、視覚的な効果をさらに高めることができる。
【００２０】
本考案のさらに別の変形例について説明する。図１０、図１１に示す実施例は、キャンドルを立てる突部と蝋受け皿を一体化し、これをミラーボールの基体に着脱するように構成したものである。図１０に示す実施例は、表面に無数の鏡５１が貼り付けられたミラーボールの基体５０の上端部に形成された平坦面５３に、一体化された蝋受け皿５５と突部５６を装着することができるようになっている。突部５６は蝋受け皿５５の中心部上面に固着されて略垂直に立ち上がっている。蝋受け皿５５の周縁部下面からは複数の突起５７が下方に向けて突出している。上記基体５０の平坦面５３には上記突起５７に対応する複数の受け穴５２が形成されている。これらの受け穴５２に突起５７を嵌めることにより、蝋受け皿５５を上記平坦面５３に装着することができ、また、平坦面５３から蝋受け皿５５を除去することができるようになっている。蝋受け皿５５を上記平坦面５３に装着した状態で、突起５７にキャンドルの穴を嵌めることにより、蝋受け皿５５上にキャンドルを立てることができ、蝋受け皿５５内が、垂れた蝋で満たされたら、突起５７と共に蝋受け皿５５を除去して交換できるようになっている。
【００２１】
図１１に示す実施例は、蝋受け皿６５の中心孔を貫通してキャンドルを立てる突部６６を嵌めて一体化し、ミラーボールの基体６０の上端部に形成した平坦面６３には、その中心位置に上記突部６６の下端部が嵌まる穴６２を形成したものである。この穴６２に突部６６の下端部を嵌めることによって蝋受け皿６５を基体６０の平坦面６３上に装着することができる。蝋受け皿６５の上面から突出している突部６６にキャンドルの穴を嵌めることにより、蝋受け皿６５上にキャンドルを立てることができる。蝋受け皿６５内が、垂れた蝋で満たされたら、突起６６と共に蝋受け皿６５を除去して交換する。図１１では、基体６０の表面に貼付される鏡の描写は省略されている。
【００２２】
図１０、図１１に示す実施例では、突部５６、突部６６がいずれも円柱状の突部になっている。これらの突部の形状に合わせて、キャンドルの穴も円柱状に形成される。キャンドルの穴を図７〜図９に示す例のように円錐形あるいは角錐形にすると、キャンドルの成形金型の一部を円錐形あるいは角錐形にして整形する必要がある。しかし、蝋は凝固するときに収縮し、円錐形あるいは角錐形の穴を目論見どおりの形に成形することは難しい。その点、図１０、図１１に示す実施例のように、突部５６，６６が円柱形であれば、これに合わせて、キャンドル側の穴をドリルによる穴形成加工によって円柱形に形成することができるので、対応するキャンドルの製造も容易になる利点がある。
【００２３】
ミラーボールの基体１の頂部を平坦面３にすることは本考案の必須要件ではないが、平坦面３を形成することにより、蝋受け皿５さらにはキャンドルを安定した姿勢で装着することができる。
【図面の簡単な説明】
【００２４】
【図１】本考案にかかるミラーボールを兼ねたキャンドル台の実施例を示す斜視図である。
【図２】上記実施例中の蝋受け皿を示す斜視図である。
【図３】本考案にかかるミラーボールを兼ねたキャンドル台に装着して使用することができるキャンドルの例を示す縦断面図である。
【図４】上記キャンドルの中に埋め込まれている芯およびストッパを示す正面図である。
【図５】本考案にかかるミラーボールを兼ねたキャンドル台の基体の変形例を示す斜視図である。
【図６】キャンドル台の基体の頂部に形成される突部の変形例を示す斜視図である。
【図７】本考案にかかるミラーボールを兼ねたキャンドル台に使用可能なキャンドルの別の例を示す正面図である。
【図８】本考案にかかるミラーボールを兼ねたキャンドル台に使用可能なキャンドルのさらに別の例を示す正面図である。
【図９】本考案にかかるミラーボールを兼ねたキャンドル台に使用可能なキャンドルのさらに別の例を示す正面図である。
【図１０】本考案にかかるミラーボールを兼ねたキャンドル台の別の実施例を示す分解斜視図である。
【図１１】本考案にかかるミラーボールを兼ねたキャンドル台のさらに別の実施例を示す分解正面図である。
【符号の説明】
【００２５】
１    基体
２    鏡
３    平坦面
４    突部
５    蝋受け皿
６    回転駆動部
７    回転軸
９    キャンドル
１０    キャンドル本体
１１    綿芯
１２    ストッパ
１３    窓孔
１５    （円錐形の）突部
１６    （角錐形の）突部
２０    キャンドル
２１    キャンドルの穴
３０    キャンドル
３１    キャンドルの穴
４０    キャンドル
４１    キャンドルの穴
５１    装着孔
【図１】
0003138951.tif 000003
【図２】
0003138951.tif 000004
【図３】
0003138951.tif 000005
【図４】
0003138951.tif 000006
【図５】
0003138951.tif 000007
【図６】
0003138951.tif 000008
【図７】
0003138951.tif 000009
【図８】
0003138951.tif 000010
【図９】
0003138951.tif 000011
【図１０】
0003138951.tif 000012
【図１１】
0003138951.tif 000013